(57)【要約】【課題】従来の酸素供給装置は、ジェットバス等の浴槽湯を循環させる回路へ高濃度の酸素を供給する構成であり、カランやシャワー等の給湯の端末から酸素の富化された湯水を得ることはできなかった。【解決手段】給水路９と、給水路９からの給水を加熱する加熱手段１３と、この加熱手段１３によって作られた温水を供給する給湯回路１１と、この給水路９または給湯回路１１の一部に高濃度の酸素を供給する酸素富化装置２２とを有した構成としたものであり、本発明によれば、カラン１７やシャワー１８等の給湯の端末から酸素の富化された湯水の供給を可能とするものである。【選択図】  図１
2005013255.tif 000002
【特許請求の範囲】
【請求項１】
給水路と、給水路からの給水を加熱する加熱手段と、この加熱手段によって作られた温水を供給する給湯回路と、この給水路または給湯回路の一部に高濃度の酸素を供給する酸素富化装置とを有した構成の酸素富化給湯装置。
【請求項２】
酸素富化装置を給湯装置内に設けた請求項１記載の酸素富化給湯装置。
【請求項３】
酸素富化装置を給湯装置外で、かつ屋外に設けた請求項１記載の酸素富化給湯装置。
【請求項４】
給湯回路のシャワー端末直前に高濃度の酸素を供給する酸素富化装置を介した請求項１記載の酸素富化給湯装置。
【請求項５】
給湯回路のカラン端末直前に高濃度の酸素を供給する酸素富化装置を介した請求項１記載の酸素富化給湯装置。
【請求項６】
酸素富化装置を浴室内洗面置き台の内部に設けた請求項４または請求項５に記載の酸素富化給湯装置。
【請求項７】
酸素富化装置からの高濃度の酸素を前記給湯回路に混入させる混入手段を絞り部で構成し、前記絞り部により生ずる負圧によって高濃度の酸素を混入させる請求項１〜６いずれか１項に記載の酸素富化給湯装置。
【発明の詳細な説明】
【０００１】
【発明の属する技術分野】
本発明は、給水を加熱する加熱手段から導かれた給湯回路に高濃度の酸素を混入し、カランやシャワーなどの給湯端末から酸素を放出する酸素富化給湯装置に関するものである。
【０００２】
【従来の技術】
従来の酸素富化装置は、ジェットバス等の浴槽湯循環回路の浴槽水に高濃度の酸素を供給するものがある（例えば特許文献１参照）。図６は、特許文献１に記載された従来の酸素富化装置を示すものである。図６に示すように、浴槽１の湯水を循環させるポンプ２と管路３に気体を供給する供給部４を設け、供給部４に酸素富化空気を供給する酸素富化装置５を設け、浴槽１には吸入口６と吐出口７を設けて構成される。
【０００３】
【特許文献１】
特開平４−２３４７号公報（００３−００１６、第１図）
【０００４】
【発明が解決しようとする課題】
しかしながら上記特許文献１の従来の酸素供給装置では、ジェットバス等の浴槽湯を循環させる回路へ高濃度の酸素を供給する構成であり、カランやシャワー等の給湯の端末から酸素の富化された湯水を得ることはできなかった。
【０００５】
本発明は上記課題を解決するため、一般家庭で設置している給湯装置の給水路又は給湯回路に酸素富化装置から高濃度の酸素を混入させ、カランやシャワー等の給湯の端末から酸素の富化された湯水の供給を可能とするものである。
【０００６】
【課題を解決するための手段】
前記従来の課題を解決するために、本発明の酸素富化給湯装置は、給水路と、給水路からの給水を加熱する加熱手段と、この加熱手段によって作られた温水を供給する給湯回路と、この給水路または給湯回路の一部に高濃度の酸素を供給する酸素富化装置とを有した構成としたものであり、本発明によれば、カランやシャワー等の給湯の端末から酸素の富化された湯水の供給を可能とするものである。
【０００７】
【発明の実施の形態】
本発明の請求項１における酸素富化給湯装置は、給水路と、給水路からの給水を加熱する加熱手段と、この加熱手段によって作られた温水を供給する給湯回路と、この給水路または給湯回路の一部に高濃度の酸素を供給する酸素富化装置とを有した構成としてある。
【０００８】
上記構成によって、カランやシャワーヘッド等の給湯の端末から酸素の富化された湯水の供給を可能とするものである。
【０００９】
請求項２に記載の発明は、前記酸素富化装置を給湯装置内に設けた酸素富化給湯装置であり、従来の給湯機能に酸素富化機能も付加された装置となっている。
【００１０】
請求項３に記載の発明は、前記酸素富化装置を給湯装置外で、かつ屋外に設けた酸素富化給湯装置であり、自在な位置に設置可能となると共にカランやシャワーヘッド等給湯端末全てに酸素の富化された湯水の供給を可能とするものである。
【００１１】
請求項４に記載の発明は、給湯回路のシャワーヘッド端末直前に高濃度の酸素を供給する酸素富化装置を介した酸素富化給湯装置であり、より集中的にシャワーに酸素の富化された湯水の供給を可能とするものである。
【００１２】
請求項５に記載の発明は、給湯回路のカラン端末直前に高濃度の酸素を供給する酸素富化装置を介した酸素富化給湯装置であり、より集中的にカランから酸素の富化された湯水の供給を可能とするものである。
【００１３】
請求項６に記載の発明は、前記酸素富化装置を浴室内洗面置き台の内部に設けた請求項４から請求項５に記載の酸素富化給湯装置であり、特に設置スペースの有効活用といえる。
【００１４】
請求項７に記載の発明は、請求項４または請求項５に記載の酸素富化装置において、酸素富化装置からの高濃度の酸素を前記給湯回路に混入させる混入手段を絞り部で構成し、前記絞り部により生ずる負圧によって高濃度の酸素を混入させることにより、酸素富化装置で作られた高濃度の酸素を負圧により効率よく浴槽湯へ混入できる。
【００１５】
【実施例】
以下、本発明の実施例について図面を用いて説明する。
【００１６】
（実施例１）
図１は本発明実施例１における酸素富化給湯装置のシステム全体構成図である。給湯装置１０は給水路９と給湯回路１１、及び追い焚き循環回路１２を有する１缶２水熱交換器１３と、１缶２水熱交換器１３を加熱する加熱手段であるバーナ１４と、バーナ１４に燃焼空気を送るバーナファン１５と、燃焼空気の排出する排気口１６を設けて構成される。
【００１７】
給水路９の水は熱交換器１３で加熱されお湯となり、給湯回路１１を経てシャワーヘッド１７やカラン１８等から吐出される。一方、追焚き循環回路１２に設けられた風呂ポンプ１９から出た浴槽湯の循環水は熱交換器１３で加熱された後、追い焚き循環回路１２を経て追い焚きアダプタ２０から浴槽２１に噴出する。
【００１８】
酸素富化装置２２は酸素富化膜２３と、空気供給手段である送風ファン２４と、減圧手段である真空ポンプ２５と、混入手段であるチーズ２６と逆止弁２７で、外気空気から高濃度にした酸素富化空気を給湯回路１１へ混入する。
【００１９】
なお、２８はシャワー使用時、或いはカランからお湯を使っているときに放出される酸素富化空気であり、２９は浴室を示している。
【００２０】
以上のように構成された酸素富化給湯装置について、以下その動作・作用を説明する。真空ポンプ２５で減圧されることで外気空気が酸素富化膜２３を通過し、高濃度の酸素（約３０％）となり逆止弁２７を通りチーズ２６から給湯回路１１に混入され、シャワーヘッド１７やカラン１８から噴出する。
【００２１】
なお、このとき、酸素富化装置２２を運転しない時に給湯運転すると給湯が酸素富化装置２１へ逆流する場合があるが、逆止弁２６が逆流を防止し、酸素富化装置２１を保護するものである。
【００２２】
そして、上記シャワーヘッド１７やカラン１８から噴出する結果、入浴者は酸素富化された気泡入りのお湯を、例えばシャワー水として使うことができ、そのままかかっても気泡の弾けるときに放出される超音波の効果で洗浄効果を得ることができる。当然、洗剤使用による洗浄後の洗い流しにおいても同様で、洗剤との相乗効果でより洗浄効果が期待でき、さらにはすすぎ効果も促進されるものである。併せて、シャワー時には高濃度酸素の空気を吸入できることで酸素不足に陥りにくく、爽快にシャワーをかかることができる。とりわけ頭部からシャワーをかかるときは一層爽快にシャワーをかかることができる。
【００２３】
さらに、カランからお湯を使用する時も、上記同様高濃度酸素の空気を吸入できることで酸素不足に陥りにくく、爽快感を満喫できるものである。
【００２４】
また、シャワーをかかるか、或いはカランからお湯を使用することによって、浴室２８内の酸素濃度が高まり、高濃度の酸素を吸いながら入浴することが可能となり、長湯も可能で温浴効果も促進できる。また、酸素吸入による覚醒作用を発揮できる。そして入浴と高濃度酸素吸入によるリラクゼーションの相乗効果も期待できる。
【００２５】
なお、本実施例では酸素富化装置２２から酸素富化空気を給湯回路１１に混入しているが、他の実施例（図示せず）では給水路９に混入することも可能である。
【００２６】
（実施例２）
図２は本発明実施例２における酸素富化給湯装置のシステム全体構成図である。図２においては、酸素富化装置２２を給湯装置１０の外で、かつ屋外に設けている。即ち、酸素富化装置２２を自在な位置に設置可能である。そして、既設の給湯装置にも後からで工事が容易となる特長がある。また、カランやシャワー等給湯端末全てに酸素の富化された湯水の供給が可能であるのは実施例１と同様であり、その効果も実施例１と同様である。
【００２７】
（実施例３）
図３は本発明実施例３における酸素富化給湯装置のシステム全体構成図である。図３において、２８ａはシャワー使用時放出される酸素富化空気を示し、３０は浴室内洗面置き台であり、酸素富化装置２２を給湯回路のシャワー端末直前に設けてあると共に、上記浴室内洗面置き台３０の内部に設置している。
【００２８】
従って、一つは、より集中的にシャワーに酸素の富化された湯水の供給を可能とするものである。特にシャワー時のみに酸素富化空気を求める場合には、より大量に酸素富化空気を確実に供給できるものである。というのは、シャワー使用時にカランからも同時にお湯を使用した場合、酸素富化空気は分散されることになるためである。逆に前期実施例並みでよい場合は小型の酸素富化装置でよいことになり、当然経済的といえる。
【００２９】
もう一つは、酸素富化装置２２を上記浴室内洗面置き台３０の内部に設置しており、極めて効率的なスペースを活用していることである。
【００３０】
（実施例４）
図４は本発明実施例４における酸素富化給湯装置のシステム全体構成図である。図４において、２８ｂはカランからの給湯時に放出される酸素富化空気を示し、３０は浴室内洗面置き台であり、酸素富化装置２２を給湯回路のシャワー端末直前に設けてあると共に、上記浴室内洗面置き台３０の内部に設置している。
【００３１】
従って、一つは、より集中的にカランからの給湯に酸素の富化された湯水の供給を可能とするものである。特にカランからの給湯に酸素富化空気を求める場合には、より大量に酸素富化空気を確実に供給できるものである。というのは、カランからの給湯時にシャワーからも同時にお湯を使用した場合、酸素富化空気は分散されることになるためである。逆に前期実施例並みでよい場合は小型の酸素富化装置でよいことになり、当然経済的といえる。
【００３２】
もう一つは、実施例３同様、酸素富化装置２２を上記浴室内洗面置き台３０の内部に設置しており、極めて効率的なスペースを活用していることである。
【００３３】
（実施例５）
図５は本発明の混入手段の断面構成図であり、これまでの実施例１〜４に適用することで、より高濃度酸素の混入空気の量を増加させることができるものである。
【００３４】
図５において、混入手段のチーズ２６に絞り部３１を設け、酸素富化装置２２からの高濃度酸素を吸引部３２から絞り部３１へ導く構成としたものである。絞り部３１を浴槽湯が通過した後流路が急拡大することで圧力が低下しエゼクタ効果により吸引部３２から高濃度の酸素を効率よく混入できることで、高濃度酸素の混入空気の量を増加させることができる。
【００３５】
真空ポンプ２５と絞り部３１を併用した高濃度酸素混入例を示したが、真空ポンプ２５が存在しない構成とした場合でもエゼクタ効果による負圧で酸素富化させることが可能で、高濃度酸素の濃度と流量は減少するが、低コストで、真空ポンプレスの非常に簡単な構成にすることが可能となる。
【００３６】
【発明の効果】
以上の説明から明らかなように本発明の酸素富化給湯装置によれば、カランやシャワー等の給湯の端末から酸素の富化された湯水の供給を可能とする。
【図面の簡単な説明】
【図１】本発明の実施例１における酸素富化給湯装置の全体構成図
【図２】本発明の実施例２における酸素富化給湯装置の全体構成図
【図３】本発明の実施例３における酸素富化給湯装置の全体構成図
【図４】本発明の実施例４における酸素富化給湯装置の全体構成図
【図５】本発明の酸素富化給湯装置における混入手段の断面構成図
【図６】従来の酸素富化装置の全体構成図
【符号の説明】
９  給水路
１０  給湯装置
１１  給湯回路
１７  シャワーヘッド
１８  カラン
２２  酸素富化装置
２４  空気供給手段
２５  減圧手段
２６  混入手段
２７  逆流防止手段
２８  酸素富化空気
２８ａ  酸素富化空気
２８ｂ  酸素富化空気
３０  浴室内洗面置き台
３１  絞り部
【図１】
2005013255.tif 000003
【図２】
2005013255.tif 000004
【図３】
2005013255.tif 000005
【図４】
2005013255.tif 000006
【図５】
2005013255.tif 000007
【図６】
2005013255.tif 000008